(57)【要約】【課題】所望の情報を迅速に表示することが可能な情報表示装置を提供する。【解決手段】情報表示装置は、画面のタッチされた位置を検出するタッチ位置検出部と、海図上に船舶の位置を描画するプロッタ装置から得られる航行情報、レーダー装置から得られるレーダー情報、魚群探知機から得られる水中探知情報、カメラから得られる画像情報、気象観測装置またはインターネットから得られる気象情報、及び航海計器から得られる計器情報のいずれかから複数の情報を取得する情報取得部と、画面内に区切られた複数の表示領域に取得した複数の情報のいずれかをそれぞれ表示するとともに、複数の表示領域のうちの１の表示領域に切り替え用アイコンを表示し、切り替え用アイコンが表示された位置において、画面のタッチされた位置が検出されるごとに、切り替え対象情報とされた複数の情報のうちの一部の複数の情報を１の表示領域上で順次切り替えて表示する、表示制御部と、を備える。【選択図】図２
2020177345.tif 000002
【特許請求の範囲】
【請求項１】
画面のタッチされた位置を検出するタッチ位置検出部と、
海図上に船舶の位置を描画するプロッタ装置から得られる航行情報、レーダー装置から得られるレーダー情報、魚群探知機から得られる水中探知情報、カメラから得られる画像情報、気象観測装置またはインターネットから得られる気象情報、及び航海計器から得られる計器情報のいずれかから複数の情報を取得する情報取得部と、
前記画面内に区切られた複数の表示領域に前記取得した複数の情報のいずれかをそれぞれ表示するとともに、前記複数の表示領域のうちの１の表示領域に切り替え用アイコンを表示し、
前記切り替え用アイコンが表示された位置において、前記画面のタッチされた位置が検出されるごとに、切り替え対象情報とされた前記複数の情報のうちの一部の複数の情報を前記１の表示領域上で順次切り替えて表示する、表示制御部と、
を備える、情報表示装置。
【請求項２】
前記表示領域に表示する画像を前記情報に基づいて生成する複数のアプリケーションプログラムの起動を管理する起動管理部をさらに備え、
前記起動管理部は、前記複数のアプリケーションプログラムのうち、前記切り替え対象情報の画像を生成するアプリケーションプログラムを、前記切り替え対象情報の画像が前記１の表示領域に表示されない期間も起動したままにする、
請求項１に記載の情報表示装置。
【請求項３】
前記複数の情報の中から前記切り替え対象情報とする情報の選択を受け付ける選択受付部をさらに備え、
前記複数のアプリケーションプログラムは、常時起動させる必要があるアプリケーションプログラムと、常時起動させる必要がないアプリケーションプログラムと、を含み、
前記選択受付部は、前記常時起動させる必要がないアプリケーションプログラムに対応する情報の選択数に上限を設定する、
請求項２に記載の情報表示装置。
【請求項４】
前記複数の情報の中から前記切り替え対象情報とする情報の選択を受け付ける選択受付部をさらに備え、
前記選択受付部は、前記複数の表示領域のうちの前記１の表示領域以外の表示領域に表示される情報と同じ情報の選択を制限する、
請求項１ないし３の何れかに記載の情報表示装置。
【請求項５】
海図上に船舶の位置を描画するプロッタ装置から得られる航行情報、レーダー装置から得られるレーダー情報、魚群探知機から得られる水中探知情報、カメラから得られる画像情報、気象観測装置またはインターネットから得られる気象情報、及び航海計器から得られる計器情報のいずれかから複数の情報を取得し、
画面内に区切られた複数の表示領域に前記取得した複数の情報のいずれかをそれぞれ表示するとともに、前記複数の表示領域のうちの１の表示領域に切り替え用アイコンを表示し、
前記切り替え用アイコンが表示された位置において、前記画面のタッチされた位置が検出されるごとに、切り替え対象情報とされた前記複数の情報のうちの一部の複数の情報を前記１の表示領域上で順次切り替えて表示する、
情報表示方法。
【請求項６】
海図上に船舶の位置を描画するプロッタ装置から得られる航行情報、レーダー装置から得られるレーダー情報、魚群探知機から得られる水中探知情報、カメラから得られる画像情報、気象観測装置またはインターネットから得られる気象情報、及び航海計器から得られる計器情報のいずれかから複数の情報を取得する情報取得部、及び、
画面内に区切られた複数の表示領域に前記取得した複数の情報のいずれかをそれぞれ表示するとともに、前記複数の表示領域のうちの１の表示領域に切り替え用アイコンを表示し、
前記切り替え用アイコンが表示された位置において、前記画面のタッチされた位置が検出されるごとに、切り替え対象情報とされた前記複数の情報のうちの一部の複数の情報を前記１の表示領域上で順次切り替えて表示する、表示制御部、
としてコンピュータを機能させるためのプログラム。
【発明の詳細な説明】
【技術分野】
【０００１】
本発明は、情報表示装置、情報表示方法、及びプログラムに関する。
【背景技術】
【０００２】
特許文献１には、情報表示レイアウトを作成する際に情報表示領域とアイコンとを表示し、ユーザはアイコンを情報表示領域にドラッグすることで情報表示レイアウトを作成することが記載されている。
【先行技術文献】
【特許文献】
【０００３】
【特許文献１】国際公開第２０１３／１２１４５８号
【発明の概要】
【発明が解決しようとする課題】
【０００４】
船舶等に設置される情報表示装置には、所望の情報を迅速に表示することが求められている。
【０００５】
本発明は、上記課題に鑑みてなされたものであり、その主な目的は、所望の情報を迅速に表示することが可能な情報表示装置、情報表示方法、及びプログラムを提供することにある。
【課題を解決するための手段】
【０００６】
上記課題を解決するため、本発明の一の態様の情報表示装置は、画面のタッチされた位置を検出するタッチ位置検出部と、海図上に船舶の位置を描画するプロッタ装置から得られる航行情報、レーダー装置から得られるレーダー情報、魚群探知機から得られる水中探知情報、カメラから得られる画像情報、気象観測装置またはインターネットから得られる気象情報、及び航海計器から得られる計器情報のいずれかから複数の情報を取得する情報取得部と、前記画面内に区切られた複数の表示領域に前記取得した複数の情報のいずれかをそれぞれ表示するとともに、前記複数の表示領域のうちの１の表示領域に切り替え用アイコンを表示し、前記切り替え用アイコンが表示された位置において、前記画面のタッチされた位置が検出されるごとに、切り替え対象情報とされた前記複数の情報のうちの一部の複数の情報を前記１の表示領域上で順次切り替えて表示する、表示制御部と、を備える。
【０００７】
また、本発明の他の態様の情報表示方法は、海図上に船舶の位置を描画するプロッタ装置から得られる航行情報、レーダー装置から得られるレーダー情報、魚群探知機から得られる水中探知情報、カメラから得られる画像情報、気象観測装置またはインターネットから得られる気象情報、及び航海計器から得られる計器情報のいずれかから複数の情報を取得し、画面内に区切られた複数の表示領域に前記取得した複数の情報のいずれかをそれぞれ表示するとともに、前記複数の表示領域のうちの１の表示領域に切り替え用アイコンを表示し、前記切り替え用アイコンが表示された位置において、前記画面のタッチされた位置が検出されるごとに、切り替え対象情報とされた前記複数の情報のうちの一部の複数の情報を前記１の表示領域上で順次切り替えて表示する。
【０００８】
また、本発明の他の態様のプログラムは、海図上に船舶の位置を描画するプロッタ装置から得られる航行情報、レーダー装置から得られるレーダー情報、魚群探知機から得られる水中探知情報、カメラから得られる画像情報、気象観測装置またはインターネットから得られる気象情報、及び航海計器から得られる計器情報のいずれかから複数の情報を取得する情報取得部、及び、画面内に区切られた複数の表示領域に前記取得した複数の情報のいずれかをそれぞれ表示するとともに、前記複数の表示領域のうちの１の表示領域に切り替え用アイコンを表示し、前記切り替え用アイコンが表示された位置において、前記画面のタッチされた位置が検出されるごとに、切り替え対象情報とされた前記複数の情報のうちの一部の複数の情報を前記１の表示領域上で順次切り替えて表示する、表示制御部、としてコンピュータを機能させる。
【発明の効果】
【０００９】
本発明によれば、所望の情報を迅速に表示することが可能となる。
【図面の簡単な説明】
【００１０】
【図１】実施形態に係る情報表示システムの構成例を示す図である。
【図２】実施形態に係る情報表示装置の構成例を示すブロック図である。
【図３】情報表示装置のメモリの内容例を示す図である。
【図４】アプリケーションの例を説明するための図である。
【図５】情報表示画面の表示例を示す図である。
【図６】情報表示テーブルの内容例を示す図である。
【図７】実施形態に係る情報表示方法の手順例を示すフロー図である。
【図８】設定受付画面の表示例を示す図である。
【図９】設定受付処理の手順例を示すフロー図である。
【発明を実施するための形態】
【００１１】
以下、本発明の実施形態について、図面を参照しながら説明する。
【００１２】
図１は、実施形態に係る情報表示システム１００の構成例を示す図である。情報表示システム１００は、例えば船舶に搭載される。
【００１３】
情報表示システム１００は、情報表示装置１、プロッタ装置２、レーダー装置３、魚群探知機４、カメラ５、自動操舵装置６、船首方位センサ６１、航海計器７、無線通信部８、気象観測装置９等を備えている。これらは、例えばＣＡＮ（Controller Area Network）又はＬＡＮ（Local Area Network）等のネットワークＢに接続されており、相互にネットワーク通信が可能である。
【００１４】
プロッタ装置２は、ＧＮＳＳ（Global Navigation Satellite System）から受信した電波に基づいて船舶の位置を算出し、チャート（海図）上に船舶の位置をプロットする。プロッタ装置２は、チャート上に船舶の位置をプロットすることにより得られるプロットチャート情報を情報表示装置１に送信する。
【００１５】
また、プロッタ装置２は、チャート上にプロットされた船舶の位置と、ユーザによりチャート上に設定された目標ポイントとに基づいて、船舶の位置を基準とする目標ポイントの方位を算出し、自動操舵装置６に送信する。すなわち、プロッタ装置２は航法装置としても機能する。
【００１６】
レーダー装置３は、アンテナによりマイクロ波を発射すると共にその反射波を受信し、受信信号に基づいてレーダー情報を生成する。レーダー情報は、船舶の周囲に存在するターゲットの距離と方位を含んでいる。レーダー装置３は、生成したレーダー情報を情報表示装置１に送信する。
【００１７】
魚群探知機４は、船底に設置された超音波振動子により水中に超音波を発射すると共にその反射波を受信し、受信信号に基づいて水中探知情報を生成する。水中探知情報は、水中の魚群や海底の情報を含んでいる。魚群探知機４は、生成した水中探知情報を情報表示装置１に送信する。
【００１８】
カメラ５は、例えば船外に向けて設置されており、船外の様子を表す画像情報を生成する。画像情報は、例えば動画データである。カメラ５は、生成した画像情報を情報表示装置１に送信する。
【００１９】
自動操舵装置６は、ＧＰＳコンパスや磁気コンパス等の船首方位センサ６１から取得した船首の方位と、プロッタ装置２から取得した目標ポイントの方位とに基づいて、船首を目標ポイントに向けるための目標舵角を算出し、操舵機の舵角が目標舵角に近付くように操舵機を駆動する。
【００２０】
航海計器７は、例えば船速計や風向風速計などの航海に用いられる計器であり、例えば船速情報や風向風速情報などの計器情報を情報表示装置１に送信する。また、船首方位センサ６１も航海計器７の一種であり、方位情報を情報表示装置１に送信してもよい。
【００２１】
なお、プロッタ装置２、レーダー装置３及び魚群探知機４なども航海計器７の一種と見ることもできるが、本明細書においては航海計器７とは別の装置として扱う。
【００２２】
無線通信部８は、例えば移動通信モジュール又は衛星通信モジュール等からなり、インターネットを通じてＭＩＣＳ（Maritime Information and Communication System）等にアクセスし、気象情報などの情報を取得する。無線通信部８は、取得した気象情報を情報表示装置１に送信する。気象情報は、気象観測装置９により取得されてもよい。
【００２３】
図２は、実施形態に係る情報表示装置１の構成例を示すブロック図である。図３は、情報表示装置１のメモリ１３の内容例を示す図である。情報表示装置１は、制御部１０、タッチセンサ１１（タッチ位置検出部の例）、及び表示パネル１２を備えている。
【００２４】
制御部１０は、ＣＰＵ、ＲＡＭ、ＲＯＭ、不揮発性メモリ及び入出力インターフェース等を含むコンピュータである。メモリ１３は、制御部１０に含まれるＲＯＭ又は不揮発性メモリである。
【００２５】
タッチセンサ１１は、例えば静電容量方式のタッチセンサであり、表示パネル１２の画面のタッチされた位置を検出し、検出信号を制御部１０に出力する。表示パネル１２は、例えば液晶ディスプレイであり、制御部１０からの表示指令に応じた画像を画面に表示する。
【００２６】
メモリ１３には、情報表示プログラム１３１及び複数のアプリケーションプログラム１３２〜１３４が格納されている。以下の説明では、アプリケーションプログラムを省略して「アプリケーション」という。
【００２７】
メモリ１３に格納される各プログラムは、例えば光ディスク又はメモリカード等の情報記憶媒体を介して供給されてもよいし、例えばインターネット等の通信ネットワークを介して供給されてもよい。
【００２８】
制御部１０のＣＰＵは、メモリ１３からＲＡＭにロードされた情報表示プログラム１３１に従って情報処理を実行することにより、情報取得部１０１、表示制御部１０２、起動管理部１０３、及び選択受付部１０４として機能する。
【００２９】
情報取得部１０１は、プロッタ装置２、レーダー装置３、魚群探知機４、カメラ５、航海計器７、及び無線通信部８等（図１参照）から各種情報を取得する。
【００３０】
表示制御部１０２は、表示パネル２の画面に後述する情報表示画面９０（図５参照）や設定受付画面９５（図８参照）等を表示するための表示指令を生成し、表示パネル２に出力する。
【００３１】
起動管理部１０３は、メモリ１３に格納された各アプリケーション１３２〜１３４の起動を管理する。アプリケーション１３２〜１３４は、情報取得部１０１が取得した情報に基づいて表示パネル１２の画面に表示する画像（以下「画面要素」という）を生成するためのプログラムである。
【００３２】
図４は、アプリケーションの例を説明するための図である。例えば、「チャートプロッタ」アプリケーションは、プロッタ装置２から取得したプロットチャート情報を表す画面要素（図５の第１表示領域９１を参照）を生成する。
【００３３】
「レーダー」アプリケーションは、レーダー装置３から取得したレーダー情報に基づきレーダー映像を表す画面要素（図５の第２表示領域９２を参照）を生成する。「魚探」アプリケーションは、魚群探知機４から取得した水中探知情報に基づき魚探映像を表す画面要素（図５の第３表示領域９３を参照）を生成する。
【００３４】
「カメラ」アプリケーションは、カメラ５から取得した画像情報を表す画面要素を生成する。「気象」アプリケーションは、無線通信部８又は気象観測装置９から取得した気象情報を表す画面要素を生成する。「計器」アプリケーションは、航海計器７から取得した計器情報を表す画面要素を生成する。
【００３５】
「マルチ魚探」アプリケーションは、魚群探知機４により自船直下だけでなく左下方及び右下方にも発射された超音波に基づき生成された水中探知情報に基づき、複数方向の魚探映像を表す画面要素を生成する。
【００３６】
「サイドスキャン」アプリケーションは、魚群探知機４により左下方及び右下方に発射された超音波に基づき生成された水中探知情報に基づき、海底構造物の映像を表す画面要素を生成する。
【００３７】
「断面」アプリケーションは、魚群探知機４により左右に幅広く発射された超音波に基づき生成された水中探知情報に基づき、その瞬間における魚影及び海底形状の映像を表す画面要素を生成する。
【００３８】
「３Ｄ履歴」アプリケーションは、魚群探知機４により左右に幅広く発射された超音波に基づき生成された水中探知情報に基づき、魚影及び海底形状の３Ｄ映像を表す画面要素を生成する。
【００３９】
なお、上記アプリケーションには、常時起動させる必要がある常時起動アプリケーションと、常時起動させる必要がない常時起動不要アプリケーションとがある。
【００４０】
例えば「レーダー」アプリケーションは、現在のレーダーエコー情報だけの表示でなく、過去のレーダーエコー情報（いわゆる航跡）を重畳して表示する機能を有している。この航跡の記録のため、「レーダー」アプリケーションは常時起動させておく必要がある。
【００４１】
また、「魚探」アプリケーション、「マルチ魚探」アプリケーション、「サイドスキャン」アプリケーション、及び「３Ｄ履歴」アプリケーションは、現在の水中探知情報だけでなく過去の水中探知情報も利用して画面要素を生成するため、常時起動させておく必要がある。
【００４２】
［表示制御］
図５は、情報表示装置１の画面に表示される情報表示画面９０の例を示す図である。図６は、情報表示画面９０を表示するための情報表示テーブルの内容例を示す図である。情報表示テーブルは、制御部１０のＲＡＭに保持される。
【００４３】
図５に示すように、情報表示画面９０は複数の表示領域９１〜９３に区切られている。各表示領域９１〜９３は、複数のアプリケーション１３２〜１３４（図３参照）から選択される１のアプリケーションにより生成される画面要素を表示するための領域である。
【００４４】
情報表示画面９０における表示領域９１〜９３の分割態様や数は、図示の例に限られない。また、表示領域９１〜９３の分割態様や数は、ユーザによる変更が可能であってもよい。
【００４５】
複数の表示領域９１〜９３のうち、第３表示領域９３は、表示する情報の切り替えが可能な切り替え対象表示領域である（以下、「切り替え対象表示領域９３」ともいう）。切り替え対象表示領域９３は、例えば押しボタン形状の切り替え用アイコン９４を含んでいる。なお、切り替え対象表示領域の数は１つに限られず、複数あってもよい。
【００４６】
図６に示すように、情報表示テーブルでは、表示領域とアプリケーションとが関連付けられている。切り替え対象表示領域９３以外の表示領域９１，９２には、それぞれ１つのアプリケーションが関連付けられている。
【００４７】
一方、切り替え対象表示領域９３には、複数のアプリケーションが関連付けられている。以下、切り替え対象表示領域９３に関連付けられた複数のアプリケーションを「切り替え対象アプリケーション」ともいう。
【００４８】
図示の例では、第１表示領域９１に「チャートプロッタ」アプリケーションが関連付けられており、第２表示領域９２に「レーダー」アプリケーションが関連付けられている。一方、切り替え対象表示領域９３には「魚探」アプリケーション、「カメラ」アプリケーション、及び「気象」アプリケーション等が関連付けられている。
【００４９】
図７は、情報表示装置１の制御部１０により実現される、実施形態に係る情報表示方法の手順例を示すフロー図である。制御部１０は、同図に示す処理を実行することにより表示制御部１０２として機能する。
【００５０】
始めに、制御部１０は、情報表示テーブル（図６参照）に基づいて、情報表示画面９０（図５参照）の各領域９１〜９３に情報を表示する（Ｓ１１、表示制御部１０２としての処理）。また、制御部１０は、切り替え対象表示領域９３に切り替え用アイコン９４を表示する。
【００５１】
具体的には、各領域９１〜９３に関連付けられているアプリケーションにより生成された画面要素が、情報表示画面９０の各領域９１〜９３に合成される。なお、切り替え対象表示領域９３には、複数の切り替え対象アプリケーションの中の１つにより生成された画面要素が合成される。
【００５２】
このとき、制御部１０は、切り替え対象表示領域９３に関連付けられている全ての切り替え対象アプリケーションを、切り替え対象表示領域９３に表示されない期間も起動したままにする（起動管理部１０３としての処理）。
【００５３】
次に、制御部１０は、切り替え対象表示領域９３に表示された切り替え用アイコン９４がタッチされたことを、タッチセンサ１１からの検出信号により検知すると（Ｓ１２：ＹＥＳ）、切り替え対象表示領域９３に表示する情報を切り替える（Ｓ１３、表示制御部１０２としての処理）。
【００５４】
具体的には、切り替え対象表示領域９３に合成される画面要素が、それまでとは別の切り替え対象アプリケーションにより生成された画面要素に切り替えられる。切り替えは、切り替え用アイコン９４がタッチされる毎に、例えば情報表示テーブル（図６参照）に登録された順序に従って行われる。
【００５５】
これにより、ユーザは、切り替え用アイコン９４をタッチすることにより、切り替え対象表示領域９３に表示される情報を切り替えて、所望の情報を迅速に表示することが可能となる。
【００５６】
特に、切り替え対象表示領域９３に関連付けられている全ての切り替え対象アプリケーションを、切り替え対象表示領域９３に表示されない期間も起動したままにすることで、より迅速な情報の切り替えが可能となる。
【００５７】
［設定受付］
図８は、情報表示装置１の画面に表示される設定受付画面９５の例を示す図である。設定受付画面９５は、情報表示画面９０（図５参照）の切り替え対象表示領域９３に表示する情報の選択を受け付けるための画面である。設定受付画面９５は、複数のアプリケーションにそれぞれ対応する複数のアプリアイコン９６を含んでいる。
【００５８】
図９は、情報表示装置１の制御部１０により実現される、実施形態に係る情報表示方法の手順例を示すフロー図である。制御部１０は、同図に示す処理を実行することにより選択受付部１０４として機能する。
【００５９】
始めに、制御部１０は、設定受付画面９５（図８参照）を表示する（Ｓ２１）。このとき、制御部１０は、情報表示画面９０（図５参照）の切り替え対象表示領域９３以外の表示領域９１，９２に表示される情報と重複する情報の選択を制限する（Ｓ２２）。
【００６０】
具体的には、設定受付画面９５に含まれるアプリアイコン９６のうち、表示領域９１，９２に表示される情報と重複するものは、選択が不能な選択不能アイコン９７で表示される。図示の例では、「チャートプロッタ」のアプリアイコン９６及び「レーダー」のアプリアイコン９６が選択不能アイコン９７で表示されている。
【００６１】
なお、切り替え対象表示領域９３以外の表示領域９１，９２に表示される情報の選択は、設定受付画面９５とは別の選択受付画面（不図示）において受け付けられる。
【００６２】
次に、制御部１０は、切り替え対象表示領域９３に表示する情報の選択を受け付ける（Ｓ２３）。ユーザは、選択不能アイコン９７以外のアプリアイコン９６の中から、所望の情報に対応するアプリアイコン９６をタッチによって選択する。
【００６３】
アプリアイコン９６が選択されると、それに対応するアプリケーションが情報表示テーブル（図６参照）において切り替え対象表示領域９３と関連付けられる。例えば「魚探」のアプリアイコン９６が選択されると、「魚探」アプリケーションが情報表示テーブルにおいて切り替え対象表示領域９３と関連付けられる。
【００６４】
なお、アプリアイコン９６が選択されると、そのアプリアイコン９６は選択不能アイコン９７に切り替えられる。これにより、重複して情報を選択できなくなる。
【００６５】
次に、制御部１０は、常時起動させる必要がない常時起動不要アプリケーションの選択数が上限に達したか否かを判定する（Ｓ２４）。選択数の上限は、例えば制御部１０に含まれるＲＡＭの容量に応じて予め定められる。
【００６６】
上述したように、切り替え対象表示領域９３に関連付けられた全てのアプリケーションは起動したままになることから、常時起動不要アプリケーションの起動数が増大するとＲＡＭの空き容量が不足するおそれがある。そのため、本処理では、常時起動不要アプリケーションの選択数に上限を設けている。
【００６７】
常時起動不要アプリケーションの選択数が上限に達した場合（Ｓ２４：ＹＥＳ）、制御部１０は、常時起動不要アプリケーションの選択を制限する（Ｓ２５）。具体的には、設定受付画面９５に含まれるアプリアイコン９６のうち、常時起動不要アプリケーションに対応するものが、選択不能アイコン９７で表示される。
【００６８】
その後、制御部１０は、選択が終了すると（Ｓ２６）、一連の処理を終了する。
【００６９】
以上、本発明の実施形態について説明したが、本発明は以上に説明した実施形態に限定されるものではなく、種々の変更が当業者にとって可能であることはもちろんである。
【００７０】
例えば、切り替え対象表示領域９３に関連付けられた常時起動不要アプリケーションの起動数をＲＡＭの使用容量に応じて動的に増減してもよい。具体的には、ＲＡＭの使用量が閾値に達した場合に、切り替え対象表示領域９３に関連付けられた常時起動不要アプリケーションの一部又は全部の起動を終了してもよい。
【符号の説明】
【００７１】
１  情報表示装置、１０  制御部、１０１  情報取得部、１０２  表示制御部、１０３  起動管理部、１０４  選択受付部、１１  タッチセンサ、１２  表示パネル、１３  メモリ、１３１  情報表示プログラム、１３２〜１３４  アプリケーションプログラム、２  プロッタ装置、３  レーダー装置、４  魚群探知機、５  カメラ、６  自動操舵装置、６１  船首方位センサ、７  航海計器、８  無線通信部、９  気象観測装置、９０  情報表示画面、９１，９２  表示領域、９３  表示領域（切り替え対象）、９４  切り替え用アイコン、９５  設定受付画面、９６  アプリアイコン、９７  選択不能アイコン、１００  情報表示システム
【図１】
2020177345.tif 000003
【図２】
2020177345.tif 000004
【図３】
2020177345.tif 000005
【図４】
2020177345.tif 000006
【図５】
2020177345.tif 000007
【図６】
2020177345.tif 000008
【図７】
2020177345.tif 000009
【図８】
2020177345.tif 000010
【図９】
2020177345.tif 000011